(57)【要約】      （修正有）【課題】二重給電アンテナシステム及び二重給電アンテナシステムの給電部切替方法を提供する。【解決手段】システムは、アンテナの左側及び右側に第１、第２の給電部と、第１、第２及び第３のスイッチとを有し、第１の接続状態又は第２の接続状態になるように、各スイッチは制御される。第１、第２の接続状態に関する信号強度が検出され、第１の接続状態に関する信号強度が第２の接続状態に関する信号強度より強かった場合、スイッチの各々はシステムが第１の接続状態になり、第１の給電部が稼働するように命令を通じて制御され、そうでなかった場合、スイッチの各々はシステムが第２の接続状態になり、第２の給電部が稼働するように命令を通じて制御される。スイッチ群により給電部の切替が実行され、人体模型ファントム頭部／手の左側及び右側の間の差異の均衡を保ち、ファントム頭部／手の側に対するパフォーマンスを従来よりも向上させる。【選択図】図１
2014045484.tif 000002
【特許請求の範囲】
【請求項１】
二重給電アンテナシステムであって、
小型基板に設けられたアンテナであって、第１の給電部及び第２の給電部が前記アンテナの左側及び右側に対称的に配置されている、アンテナと、
前記小型基板に配置された第１のスイッチであって、第１の固定接続端部及び第１の付随接続端部を有し、前記第１の固定接続端部は前記小型基板上の第１の整合回路の一方端に接続され、前記第１の付随接続端部は前記第１の給電部に接続される、第１のスイッチと、
前記小型基板に配置された第２のスイッチであって、第２の固定接続端部及び第３の付随接続端部を有し、前記第２の固定接続端部は前記小型基板上の第２の整合回路の一方端に接続され、前記第３の付随接続端部は前記第２の給電部に接続される、第２のスイッチと、
メインボードに配置された第３のスイッチであって、第３の固定接続端部と、第５の付随接続端部と、第６の付随接続端部とを有し、前記第１の整合回路の他方端が前記第５の付随接続端部に接続され、前記第２の整合回路の他方端が前記第６の付随接続端部に接続され、前記第３の固定接続端部が前記メインボード上のトランシーバに接続されている、第３のスイッチと
を有し、前記第１のスイッチ、前記第２のスイッチ及び前記第３のスイッチの制御線は前記メインボードにそれぞれ接続され、
前記第１の給電部が動作している場合、当該二重給電アンテナシステムは第１の接続状態であり、前記第１の接続状態では、前記第３の固定接続端部が前記第５の付随接続端部に接続され、前記第１の固定接続端部が前記第１の付随接続端部に接続され、かつ前記第２の固定接続端部が前記第３の付随接続端部から分離され、
前記第２の給電部が動作している場合、当該二重給電アンテナシステムは第２の接続状態であり、前記第２の接続状態では、前記第３の固定接続端部が前記第６の付随接続端部に接続され、前記第２の固定接続端部が前記第３の付随接続端部に接続され、かつ前記第１の固定接続端部が前記第１の付随接続端部から分離され、
前記第１の接続状態に対応する信号強度と前記第２の接続状態に対応する信号強度とが検出され、前記第１の接続状態に対応する信号強度が前記第２の接続状態に対応する信号強度より大きかった場合、前記第１のスイッチ、前記第２のスイッチ及び前記第３のスイッチは、前記第１の給電部が動作する前記第１の接続状態に切り替える命令により制御され、そうでなかった場合、前記第１のスイッチ、前記第２のスイッチ及び前記第３のスイッチは、前記第２の給電部が動作する前記第２の接続状態に切り替える命令により制御される、二重給電アンテナシステム。
【請求項２】
前記第１のスイッチが、浮遊状態である第２の付随接続端部を更に有し、
前記第２のスイッチが、浮遊状態である第４の付随接続端部を更に有し、
当該二重給電アンテナシステムが前記第１の接続状態であった場合、前記第３の固定接続端部が前記第５の付随接続端部に接続され、前記第１の固定接続端部が前記第１の付随接続端部に接続され、かつ前記第２の固定接続端部が前記第４の付随接続端部に接続され、
当該二重給電アンテナシステムが前記第２の接続状態であった場合、前記第３の固定接続端部が前記第６の付随接続端部に接続され、前記第２の固定接続端部が前記第３の付随接続端部に接続され、かつ前記第１の固定接続端部が前記第２の付随接続端部に接続される、請求項１に記載の二重給電アンテナシステム。
【請求項３】
第１の接地点が前記アンテナの前記第１の給電部の位置のそばに配置され、前記第１のスイッチが、第４の固定接続端部と、第７の付随接続端部と、第８の付随接続端部とを更に有し、前記第１の固定接続端部、前記第１の付随接続端部及び前記第２の付随接続端部と共に双極双投スイッチを形成し、前記第１の接地点は前記第７の付随接続端部に接続され、前記第４の固定接続端部は前記メインボードの接地点に接続され、前記第８の付随接続端部は浮遊状態であり、
第２の接地点が前記アンテナの前記第２の給電部の位置のそばに配置され、前記第２のスイッチが、第５の固定接続端部と、第９の付随接続端部と、第１０の付随接続端部とを更に有し、前記第２の固定接続端部、前記第３の付随接続端部及び前記第４の付随接続端部と共に双極双投スイッチを形成し、前記第２の接地点は前記第９の付随接続端部に接続され、前記第５の固定接続端部は前記メインボードの接地点に接続され、前記第１０の付随接続端部は浮遊状態である、請求項１に記載の二重給電アンテナシステム。
【請求項４】
二重給電アンテナシステムに基づく給電部切替方法であって、
第１の接続状態を実現するように、前記二重給電アンテナシステムにおける第１のスイッチ、第２のスイッチ及び第３のスイッチの動作を制御命令により制御するステップであって、前記第１の接続状態では、第３の固定接続端部が第５の付随接続端部に接続され、第１の固定接続端部が第１の付随接続端部に接続され、かつ第２の固定接続端部が第３の付随接続端部から分離される、ステップと、
第２の接続状態を実現するように、前記二重給電アンテナシステムにおける前記第１のスイッチ、前記第２のスイッチ及び前記第３のスイッチの動作を制御命令により制御するステップであって、前記第２の接続状態では、前記第３の固定接続端部が第６の付随接続端部に接続され、前記第２の固定接続端部が前記第３の付随接続端部に接続され、かつ前記第１の固定接続端部が前記第１の付随接続端部から分離される、ステップと、
前記第１の接続状態に対応する信号強度と前記第２の接続状態に対応する信号強度とを検出するステップであって、前記第１の接続状態に対応する信号強度が前記第２の接続状態に対応する信号強度より大きかった場合、前記第１のスイッチ、前記第２のスイッチ及び前記第３のスイッチを、第１の給電部が動作する前記第１の接続状態に切り替える命令により切り替え、そうでなかった場合、前記第１のスイッチ、前記第２のスイッチ及び前記第３のスイッチを、第２の給電部が動作する前記第２の接続状態に切り替える命令により切り替える、ステップと
を有する給電部切替方法。
【請求項５】
前記第１の接続状態を実現するように、前記二重給電アンテナシステムにおける前記第１のスイッチ、前記第２のスイッチ及び前記第３のスイッチの動作を制御命令により制御する前記ステップにおいて、前記第３の固定接続端部を前記第５の付随接続端部に接続し、前記第１の固定接続端部を前記第１の付随接続端部に接続し、かつ前記第２の固定接続端部を前記第４の付随接続端部に接続するように制御し、
前記第２の接続状態を実現するように、前記二重給電アンテナシステムにおける前記第１のスイッチ、前記第２のスイッチ及び前記第３のスイッチの動作を制御命令により制御する前記ステップにおいて、前記第３の固定接続端部を前記第６の付随接続端部に接続し、前記第２の固定接続端部を前記第３の付随接続端部に接続し、かつ前記第１の固定接続端部を前記第２の付随接続端部に接続するように制御し、
前記第１の接続状態に対応する信号強度と前記第２の接続状態に対応する信号強度とを検出し、前記第１の接続状態に対応する信号強度が前記第２の接続状態に対応する信号強度より大きかった場合、前記第１のスイッチ、前記第２のスイッチ及び前記第３のスイッチを、前記第１の給電部が動作する前記第１の接続状態に切り替える命令により切り替え、そうでなかった場合、前記第１のスイッチ、前記第２のスイッチ及び前記第３のスイッチを、前記第２の給電部が動作する前記第２の接続状態に切り替える命令により切り替える、請求項４に記載の給電部切替方法。
【請求項６】
前記第１の接続状態では、第７の付随接続端部が第４の固定接続端部に接続され、第１０の付随接続端部が第５の固定接続端部に接続され、前記第２の接続状態では、第８の付随接続端部が前記第４の固定接続端部に接続され、第９の付随接続端部が前記第５の固定接続端部に接続される、請求項４に記載の給電部切替方法。
【発明の詳細な説明】
【技術分野】
【０００１】
本発明の実施の形態はアンテナの技術分野に関連し、特に、二重給電アンテナシステム(dual-feedpoint  antenna  system)及び二重給電アンテナシステムの給電部切替方法等に関連する。
【背景技術】
【０００２】
無線通信技術の進歩と共に、ますますオペレータは、無線パフォーマンスについて重きを置く基準を、自由空間特性に関する全体的な放射電力(Total  Radiated  Power：TRP)や全体的に等方的な感度(Total  Isotropic  Sensitivity：TIS)から、人体ファントムの頭部又はヘッド(Phantom  Head)に関する条件/要求、或いは人体ファントムの頭部(ヘッド)や手(ハンド)(Phantom  Head  and  Hand)に関する条件/要求に移しつつある。現在、ボーダフォン(Vodafone：VDF)(登録商標)やティーモバイル(T-Mobile：TMO)等のようないくつもの主要なオペレータは、ファントムヘッド及びハンドの片側(右側ファントムヘッド及びハンド)に関する元々のパフォーマンス要求から、ファントムヘッド及びハンド(ファントムヘッド・ハンド)の左側及び右側に関するパフォーマンス要求へ移行することを主導している。近い将来、左側及び右側のファントムヘッド及びハンドに関する無線パフォーマンス要求が、市場のほとんどのオペレータの条件の主流となることが予想される。しかしながら、従来のアンテナ手段の場合、概して給電部がメインボードの所定の側に設けられており、その結果、左側及び右側のファントムヘッド・ハンドについて不均一なパフォーマンスとなっている。概して、ファントムヘッド・ハンドの2つの側に関する差分は約3dBである。従って、左側及び右側のファントムヘッド・ハンド間の相違を如何にして均衡させるかとう課題は、当該技術分野において益々重要になりつつある。
【発明の概要】
【発明が解決しようとする課題】
【０００３】
本発明の実施の形態に関する開発段階において、本発明者等は次のことを見出した：既存の二重給電アンテナ技術(dual-feed  antenna  technology)の場合、低周波信号及び高周波信号の分離は二重給電又は二重の給電部(dual  feedpoints)により実現されており、高周波信号及び低周波信号はそれぞれ異なる経路を通じて無線周波数チップに至り、高周波アンテナ及び低周波アンテナの共鳴は整合回路を通じてそれぞれ調整され、各自の帯域幅を広げ、又はファントムヘッド・ハンドのパフォーマンスを改善し(これはアンテナの帯域幅を広帯域化することに或る程度の効果を有する)、片側のファントムヘッド・ハンドのパフォーマンスを改善するが、左側及び右側のファントムヘッド・ハンドのパフォーマンスを均衡させることについてはほとんど寄与せず、ファントムヘッド・ハンドの他方の側は劣化する可能性さえある。
【０００４】
開示される実施の形態の課題は、左側及び右側のファントムヘッド・ハンド間の相違を均衡させることである。
【課題を解決するための手段】
【０００５】
実施の形態による二重給電アンテナシステムは、
小型基板に設けられたアンテナであって、第１の給電部及び第２の給電部が前記アンテナの左側及び右側に対称的に配置されている、アンテナと、
前記小型基板に配置された第１のスイッチであって、第１の固定接続端部及び第１の付随接続端部を有し、前記第１の固定接続端部は前記小型基板上の第１の整合回路の一方端に接続され、前記第１の付随接続端部は前記第１の給電部に接続される、第１のスイッチと、
前記小型基板に配置された第２のスイッチであって、第２の固定接続端部及び第３の付随接続端部を有し、前記第２の固定接続端部は前記小型基板上の第２の整合回路の一方端に接続され、前記第３の付随接続端部は前記第２の給電部に接続される、第２のスイッチと、
メインボードに配置された第３のスイッチであって、第３の固定接続端部と、第５の付随接続端部と、第６の付随接続端部とを有し、前記第１の整合回路の他方端が前記第５の付随接続端部に接続され、前記第２の整合回路の他方端が前記第６の付随接続端部に接続され、前記第３の固定接続端部が前記メインボード上のトランシーバに接続されている、第３のスイッチと
を有し、前記第１のスイッチ、前記第２のスイッチ及び前記第３のスイッチの制御線は前記メインボードにそれぞれ接続され、
前記第１の給電部が動作している場合、当該二重給電アンテナシステムは第１の接続状態であり、前記第１の接続状態では、前記第３の固定接続端部が前記第５の付随接続端部に接続され、前記第１の固定接続端部が前記第１の付随接続端部に接続され、かつ前記第２の固定接続端部が前記第３の付随接続端部から分離され、
前記第２の給電部が動作している場合、当該二重給電アンテナシステムは第２の接続状態であり、前記第２の接続状態では、前記第３の固定接続端部が前記第６の付随接続端部に接続され、前記第２の固定接続端部が前記第３の付随接続端部に接続され、かつ前記第１の固定接続端部が前記第１の付随接続端部から分離され、
前記第１の接続状態に対応する信号強度と前記第２の接続状態に対応する信号強度とが検出され、前記第１の接続状態に対応する信号強度が前記第２の接続状態に対応する信号強度より大きかった場合、前記第１のスイッチ、前記第２のスイッチ及び前記第３のスイッチは、前記第１の給電部が動作する前記第１の接続状態に切り替える命令により制御され、そうでなかった場合、前記第１のスイッチ、前記第２のスイッチ及び前記第３のスイッチは、前記第２の給電部が動作する前記第２の接続状態に切り替える命令により制御される、二重給電アンテナシステムである。
【発明の効果】
【０００６】
実施の形態によれば、左側及び右側のファントムヘッド・ハンド間の相違を少なくとも従来より均衡させることが可能である。
【図面の簡単な説明】
【０００７】
【図１】本発明の第1の実施の形態による二重給電アンテナシステムの概略的な構造を示す図。
【図２】本発明の第2の実施の形態による二重給電アンテナシステムの概略的な構造を示す図。
【図３】本発明の第3の実施の形態による二重給電アンテナシステムの概略的な構造を示す図。
【図４】本発明の第1の実施の形態による二重給電アンテナシステムの給電部切替方法のフローチャート。
【発明を実施するための形態】
【０００８】
＜実施の形態の概要＞
本発明の実施の形態は二重給電アンテナシステムと二重給電アンテナシステムの給電部切替方法とを提供する。
【０００９】
本発明の実施の形態により提供される二重給電アンテナシステムは、
小型基板に設けられたアンテナであって、第１の給電部及び第２の給電部が前記アンテナの左側及び右側に対称的に配置されている、アンテナと、
前記小型基板に配置された第１のスイッチであって、第１の固定接続端部及び第１の付随接続端部を有し、前記第１の固定接続端部は前記小型基板上の第１の整合回路の一方端に接続され、前記第１の付随接続端部は前記第１の給電部に接続される、第１のスイッチと、
前記小型基板に配置された第２のスイッチであって、第２の固定接続端部及び第３の付随接続端部を有し、前記第２の固定接続端部は前記小型基板上の第２の整合回路の一方端に接続され、前記第３の付随接続端部は前記第２の給電部に接続される、第２のスイッチと、
メインボードに配置された第３のスイッチであって、第３の固定接続端部と、第５の付随接続端部と、第６の付随接続端部とを有し、前記第１の整合回路の他方端が前記第５の付随接続端部に接続され、前記第２の整合回路の他方端が前記第６の付随接続端部に接続され、前記第３の固定接続端部が前記メインボード上のトランシーバに接続されている、第３のスイッチと
を有し、前記第１のスイッチ、前記第２のスイッチ及び前記第３のスイッチの制御線は前記メインボードにそれぞれ接続され、
前記第１の給電部が動作している場合、当該二重給電アンテナシステムは第１の接続状態であり、前記第１の接続状態では、前記第３の固定接続端部が前記第５の付随接続端部に接続され、前記第１の固定接続端部が前記第１の付随接続端部に接続され、かつ前記第２の固定接続端部が前記第３の付随接続端部から分離され、
前記第２の給電部が動作している場合、当該二重給電アンテナシステムは第２の接続状態であり、前記第２の接続状態では、前記第３の固定接続端部が前記第６の付随接続端部に接続され、前記第２の固定接続端部が前記第３の付随接続端部に接続され、かつ前記第１の固定接続端部が前記第１の付随接続端部から分離され、
前記第１の接続状態に対応する信号強度と前記第２の接続状態に対応する信号強度とが検出され、前記第１の接続状態に対応する信号強度が前記第２の接続状態に対応する信号強度より大きかった場合、前記第１のスイッチ、前記第２のスイッチ及び前記第３のスイッチは、前記第１の給電部が動作する前記第１の接続状態に切り替える命令により制御され、そうでなかった場合、前記第１のスイッチ、前記第２のスイッチ及び前記第３のスイッチは、前記第２の給電部が動作する前記第２の接続状態に切り替える命令により制御される、二重給電アンテナシステムである。
【００１０】
別の形態に関し、本発明の実施の形態により提供される二重給電アンテナシステムの給電部切替方法は、
第１の接続状態を実現するように、前記二重給電アンテナシステムにおける第１のスイッチ、第２のスイッチ及び第３のスイッチの動作を制御命令により制御するステップであって、前記第１の接続状態では、第３の固定接続端部が第５の付随接続端部に接続され、第１の固定接続端部が第１の付随接続端部に接続され、かつ第２の固定接続端部が第３の付随接続端部から分離される、ステップと、
第２の接続状態を実現するように、前記二重給電アンテナシステムにおける前記第１のスイッチ、前記第２のスイッチ及び前記第３のスイッチの動作を制御命令により制御するステップであって、前記第２の接続状態では、前記第３の固定接続端部が第６の付随接続端部に接続され、前記第２の固定接続端部が前記第３の付随接続端部に接続され、かつ前記第１の固定接続端部が前記第１の付随接続端部から分離される、ステップと、
前記第１の接続状態に対応する信号強度と前記第２の接続状態に対応する信号強度とを検出するステップであって、前記第１の接続状態に対応する信号強度が前記第２の接続状態に対応する信号強度より大きかった場合、前記第１のスイッチ、前記第２のスイッチ及び前記第３のスイッチを、第１の給電部が動作する前記第１の接続状態に切り替える命令により切り替え、そうでなかった場合、前記第１のスイッチ、前記第２のスイッチ及び前記第３のスイッチを、第２の給電部が動作する前記第２の接続状態に切り替える命令により切り替える、ステップと
を有する給電部切替方法である。
【００１１】
本発明の実施の形態により提供される二重給電アンテナシステム及び二重給電アンテナシステムの給電部切替方法では、制御命令により、システムが第1の接続状態になるように第1のスイッチをオンにしかつ第2のスイッチを分離するように制御することで、第1の接続状態に対応するシステムの信号強度が検出され；制御命令により、システムが第2の接続状態になるように第2のスイッチをオンにしかつ第1のスイッチを分離するように制御することで、第2の接続状態に対応するシステムの信号強度が検出され；前記第１の接続状態に対応する信号強度が前記第２の接続状態に対応する信号強度より大きかった場合、前記第１のスイッチ、前記第２のスイッチ及び前記第３のスイッチは、前記第１の給電部が動作する前記第１の接続状態に切り替える命令により制御され、そうでなかった場合、前記第１のスイッチ、前記第２のスイッチ及び前記第３のスイッチは、前記第２の給電部が動作する前記第２の接続状態に切り替える命令により制御され；スイッチを制御することで、一方の側の給電部のみが動作していることを保証し、他方の側の給電部によるパフォーマンスの方が良いことが検出されると、システムは、より良いパフォーマンスの給電部に切り替わり、左右のファントムヘッド・ハンド間の相違の均衡を保つ。
【００１２】
＜図面の概要＞
本発明の実施の形態による解決手段及び従来技術を更に明確に説明するため、実施発明の形態又は従来技術を説明するのに必要な添付図面を、以下概説する。明らかに、以下の説明における添付図面は本発明の実施の形態の一例を示しているに過ぎず、当業者は、創作的能力を発揮することなく詳細な説明及び添付図面から他の実施の形態を導出できる。
【００１３】
図1は本発明の第1の実施の形態による二重給電アンテナシステムの概略的な構造図を示す。
【００１４】
図2は本発明の第2の実施の形態による二重給電アンテナシステムの概略的な構造図を示す。
【００１５】
図3は本発明の第3の実施の形態による二重給電アンテナシステムの概略的な構造図を示す。
【００１６】
図4は本発明の第1の実施の形態による二重給電アンテナシステムの給電部切替方法のフローチャートを示す。
【００１７】
＜実施の形態の詳細な説明＞
本発明の実施の形態の課題、解決手段及び利点を明らかにするため、以下、本発明の実施の形態に関する添付図面を参照しながら本発明の実施の形態による解決手段が明確かつ十分に説明される。明らかに、説明される実施の形態は本発明の全ての実施の形態ではなくその一部に過ぎない。本発明の実施の形態に基づいて、創作的能力を発揮することなく当業者が見出す他の全ての実施の形態も、本発明の保護範囲内に属する。
【００１８】
図1は本発明の第1の実施の形態による二重給電アンテナシステムの概略的な構造図を示す。図1に示されているように、本実施の形態による二重給電アンテナシステムは：小型基板又はスモールボードに配置されたアンテナ4と、アンテナ4の左側及び右側に対称的に配置された第1の給電部(又は第1の給電点)41及び第2の給電部(又は第2の給電点)42と、小型基板に配置された第1のスイッチ1及び第2のスイッチ2と、主回路基板又はメインボードに配置された第3のスイッチ3とを含む。
【００１９】
小型基板に配置された第1のスイッチは第1の固定接続端部(fixed  connection  end)10と第1の付随接続端部(optional  connection  end)11とを含み、第1の固定接続端部10は小型基板上の第1の整合回路の一方端に接続され、第1の付随接続端部11は第1の給電部41に接続されている；第2のスイッチ2も小型基板に配置され、第2のスイッチは第2の固定接続端部20と第3の付随接続端部23とを含み、第2の固定接続端部20は小型基板上の第2の整合回路に接続され、第3の付随接続端部23は第2の給電部42に接続されている。
【００２０】
第3のスイッチはメインボード上に配置され、第3のスイッチ3は、第3の固定接続端部30と、第5の付随接続端部35と、第6の付随接続端部36とを含み、第1の整合回路の他方端は第3のスイッチ3の第5の付随接続端部35に接続され、第2の整合回路の他方端は第6の付随接続端部36に接続され、第3のスイッチ3の固定接続端部30はメインボード上のトランシーバに接続されている。
【００２１】
第1のスイッチ1の制御線(又は制御ライン)、第2のスイッチ2の制御線、及び第3のスイッチ3の制御線は、メインボード上でそれぞれ接続され、メインボードは、それらの制御線を介して各々のスイッチに命令又は指示を送り、各々のスイッチの接続及び分離を制御しかつ給電部の動作も制御する。
【００２２】
具体的には、メインボードは、制御命令により、第1のスイッチ1及び第3のスイッチ3を同時にオンにしかつ第2のスイッチ2を分離するように制御すると共に、第3のスイッチ3の第3の固定接続端部30は第5の付随接続端部35に接続され、第1のスイッチの第1の固定接続端部10は第1の付随接続端部11に接続され、第2のスイッチ2の第2の固定接続端部20は第3の付随接続端部23から分離され、システムが第1の接続状態となり、第1の給電部が動作するようにする；メインボードは、制御命令により、第2のスイッチ2及び第3のスイッチ3を同時にオンにしかつ第1のスイッチ1を分離するように制御すると共に、第3のスイッチ3の第3の固定接続端部30は第6の付随接続端部36に接続され、第2のスイッチの第2の固定接続端部20は第3の付随接続端部23に接続され、第1のスイッチ1の第1の固定接続端部10は第1の付随接続端部11から分離され、システムが第2の接続状態となり、第2の給電部が動作するようにする。
【００２３】
第1の接続状態に対応する(第1の接続状態の場合の)信号強度と、第2の接続状態に対応する(第2の接続状態の場合の)信号強度とが検出され、第1の接続状態に対応する信号強度が第2の接続状態に対応する信号強度より強かった場合、第1のスイッチ、第2のスイッチ及び第3のスイッチは、命令を通じて、第1の接続状態に切り替わるようにし、第1の給電部が稼働するように制御され；そうでなかった場合、第1のスイッチ、第2のスイッチ及び第3のスイッチは命令を通じて第2の接続状態になるようにし、第2の給電部が稼働するように制御される。
【００２４】
本発明の実施の形態により提供される二重給電アンテナシステムは、制御命令により、システムが第1の接続状態になるように第1のスイッチをオンにしかつ第2のスイッチを分離するように制御することで、第1の接続状態に対応するシステムの信号強度を検出し；制御命令により、システムが第2の接続状態になるように第2のスイッチをオンにしかつ第1のスイッチを分離するように制御することで、第2の接続状態に対応するシステムの信号強度を検出し；スイッチを制御することで、一方の側の給電部のみが動作していることを保証し、他方の側の給電部によるパフォーマンスの方が良いことが検出されると、より良いパフォーマンスの給電部に切り替わる。
【００２５】
図2は本発明の第2の実施の形態による二重給電アンテナシステムの概略的な構造図を示す。図2に示されているように、本実施の形態による二重給電アンテナシステムは：小型基板又はスモールボードに配置されたアンテナ4と、アンテナ4の左側及び右側に対称的に配置された第1の給電部(又は第1の給電点)41及び第2の給電部(又は第2の給電点)42と、小型基板に配置された第1のスイッチ1及び第2のスイッチ2と、主回路基板又はメインボードに配置された第3のスイッチ3とを含む。
【００２６】
第1のスイッチ1は小型基板に配置され、第1のスイッチ1は第1の固定接続端部10と、第1の付随接続端部11と、第2の付随接続端部12とを含み、第1の固定接続端部10は小型基板上の第1の整合回路の一方端に接続され、第1の付随接続端部11は第1の給電部41に接続され、第2の付随接続端部12は浮遊状態又は浮動状態にされている(suspended)。第2のスイッチ2も小型基板に配置され、第2のスイッチ2は第2の固定接続端部20と、第3の付随接続端部23と、第4の付随接続端部24とを含み、第2の固定接続端部20は小型基板上の第2の整合回路に接続され、第3の付随接続端部23は第2の給電部42に接続され、第4の付随接続端部24は浮遊状態にされている(suspended)。
【００２７】
第3のスイッチはメインボード上に配置され、第3のスイッチ3は、第3の固定接続端部30と、第5の付随接続端部35と、第6の付随接続端部36とを含み、第1の整合回路の他方端は第3のスイッチ3の第5の付随接続端部35に接続され、第2の整合回路の他方端は第6の付随接続端部36に接続され、第3のスイッチ3の固定接続端部30はメインボード上のトランシーバに接続されている。
【００２８】
第1のスイッチ1の制御線、第2のスイッチ2の制御線、及び第3のスイッチ3の制御線は、メインボード上でそれぞれ接続され、メインボードは、それらの制御線を介して各々のスイッチに命令又は指示を送り、各々のスイッチのターンオン及びターンオフを制御しかつ給電部の動作も制御する。
【００２９】
この実施の形態の場合、第1の給電部41及び第2の給電部42がアンテナの左側及び右側に対称的に設けられており、第1のスイッチ1が第1の給電部41のために設けられており、第2のスイッチ1が第2の給電部42のために設けられており、第1のスイッチ1及び第2のスイッチ2の制御線が、基板間コネクタ(Board  to  Board  connector：BTB)を介してメインボードに接続されている。第3のスイッチ3もメインボードにあり、第1のスイッチ1、第2のスイッチ及び第3のスイッチは、例えば、単極双投(single-pole  double-throw：SP2T)スイッチである。第1の給電部が動作している場合、SP2T3の固定接続端部30は第5の付随接続端部35に接続に接続され、SP2T1の第1の固定接続端部10は第1の付随接続端部11に接続され、SP2T1が動作し始め、SP2T2の第2の固定接続端部20は第4の付随接続端部24、すなわち浮遊状態の端部に接続され、SP2T2は分離される。逆に、第2の給電部42が動作している場合、SP2T3の固定接続端部30は第6の付随接続端部36に接続に接続され、SP2T2の第2の固定接続端部20は第3の付随接続端部23に接続され、SP2T2が動作し始め、SP2T1の第1の固定接続端部10は第2の付随接続端部12、すなわち浮遊状態の端部に接続され、SP2T1は分離される。
【００３０】
二重給電アンテナシステムの高周波帯域幅はまだ最適化されていないので、今のところ、850/1900MHzの周波数帯域のみを比較する。具体的な検査状態では、一般に、第1の給電部が動作している場合において、高周波帯域の場合、右側のファントムヘッド・ハンドのパフォーマンスが左側のファントムヘッド・ハンドのパフォーマンスよりも高く(良く)、低周波帯域の場合、左側のファントムヘッド・ハンドのパフォーマンスが右側のファントムヘッド・ハンドのパフォーマンスよりも高く(良く)；第2の給電部が動作している場合において、高周波帯域の場合、左側のファントムヘッド・ハンドのパフォーマンスが右側のファントムヘッド・ハンドのパフォーマンスよりも高く(良く)、低周波帯域の場合、右側のファントムヘッド・ハンドのパフォーマンスが左側のファントムヘッド・ハンドのパフォーマンスよりも高い(良い)。例えば、左側のファントムヘッド・ハンドの検査状態の場合において、第1の給電部が動作している場合、第1の給電部に関する左側のファントムヘッド・ハンドのパフォーマンスの方が低いことが検出されたとする。この場合、給電部の切り替えを行うようにスイッチをターンオン及びターンオフすると、切り替えの後、第2の給電部が動作し、第2の給電部が動作している場合において高周波帯域の場合、左側のファントムヘッド・ハンドのパフォーマンスは右側のファントムヘッド・ハンドのパフォーマンスより高い(良い)ので、第1の給電部が動作している場合の左側ファントムヘッド・ハンドの2-3dBの不均衡が補償され、左側及び右側ファントムヘッド・ハンドのパフォーマンスの均衡を保つことができる。
【００３１】
【表１】
2014045484.tif 000003
表1に示されているように、一例として1850MHzを例にとると、右側のファントムヘッド・ハンドの測定値に関し、第1の給電部が動作している場合、右側のファントムヘッド・ハンドのパフォーマンスは、-8.8dBであり、第2の給電部が動作している場合、右側のファントムヘッド・ハンドのパフォーマンスは、-14.6dBである(これは、第1の給電部が動作している場合の右側のファントムヘッド・ハンドのパフォーマンスよりも5.8dB低い)。従って、ソフトウェア制御により、第1の給電部を動作させ、右側のファントムヘッド・ハンドに関して第2の給電部を分離すると、この場合、右側のファントムヘッド・ハンドの場合に検出されるパフォーマンスは、-8.8dBとなり；同様に、左側のファントムヘッド・ハンドの測定値に関し、例えば、第1の給電部が動作している場合、左側のファントムヘッド・ハンドのパフォーマンスは、-13.6dBであり、第2の給電部が動作している場合、左側のファントムヘッド・ハンドのパフォーマンスは、-8.3dBである(これは、第1の給電部が動作している場合のパフォーマンスよりも5.3dB高い)。従って、ソフトウェア制御により、第2の給電部を動作させ、左側のファントムヘッド・ハンドに関して第1の給電部を分離すると、この場合、左側のファントムヘッド・ハンドの場合に検出されるパフォーマンスは、-8.3dBとなる。第1の給電部及び第2の給電部の切り替えを各自対応する右側/左側ファントムヘッド・ハンドの検査状態に応じて制御することで、片側給電による左側及び右側ファントムヘッド・ハンドの約5dBの不均衡を補償することができる。
【００３２】
【表２】
2014045484.tif 000004
表2に示す実験から分かるように、従来のアンテナ手段の場合、一方の側のファントムヘッド・ハンドのパフォーマンスは(他方の側より)良い。しかしながら、ファントムヘッド・ハンドのパフォーマンスに関し、2つの側で2-3dBの不均衡が存在するので、他方の側のファントムヘッド・ハンドのパフォーマンスは二重給電アンテナ手段の場合よりも(約1dB)低くなっており；中心に給電部を設けた二重ループの手段(二重ループ)の場合、2つの側に関するファントムヘッド・ハンドは大きくは異なっておらず、低周波の場合のパフォーマンスは二重給電アンテナ手段の場合よりも高くなっているが、高周波の場合のパフォーマンスは二重給電アンテナ手段の場合より2dB以上低くなっている。従って、総合的に考察すると、アンテナパターンに関する以下の最適化と共に、二重給電アンテナの総合的なパフォーマンスが最適化され、全体的なパフォーマンスが更に改善される。
【００３３】
表1及び表2は本発明の実施の形態の実現手段における検査結果から得られるデータの一部分を示すに過ぎず、本発明はこれらに限定されないことに、留意すべきである。実際の動作手順では、様々な検査条件、機器の誤差、及び人的影響等に起因して値は異なる。
【００３４】
本発明による上記の実施の形態に関し、給電部が切り替えられるべきか否かは、給電部のそばにセンサを配置することにより判断されてもよいし、或いはソフトウェア制御により第1の給電部及び第2の給電部をそれぞれ接続し、端末が基地局に接続された時点で2つの給電部に関して受信したレベル値(RSSI)を比較し、より強い信号をもたらす方の給電部にスイッチにより切り替えることで決定されてもよい。しかしながら、本発明に関し、給電部を切り替えるか否かの判断は上記の例に限定されない。
【００３５】
既存のアンテナ手段の場合、給電部が何れの側に設けられるかは考慮されていないので、左側及び右側のファントムヘッド・ハンドのパフォーマンス不均衡の問題は不可避的である。実施の形態により提供される二重給電アンテナシステムの場合、第1の給電部及び第2の給電部が小型基板の左側及び右側に対称的に配置され、スイッチ切り替え制御により、左側及び右側のファントムヘッド・ハンド間の相違の均衡を保つ一方の側の給電部のみが動作することを保証される。更に、本発明の実施の形態により提供される二重給電アンテナシステムの場合、アンテナのケーブルは基本的には対称的であり、これは、2つの側の給電部のうち一方が動作している場合のアンテナ共鳴位置が、他方の給電部が動作している場合のものと基本的に同じであることを保証する。
【００３６】
図3は本発明の第3の実施の形態による二重給電アンテナシステムの概略的な構造図を示す。図3に示されているように、本実施の形態による二重給電アンテナシステムは：小型基板又はスモールボードに配置されたアンテナ4と、アンテナ4の左側及び右側に対称的に配置された第1の給電部(又は第1の給電点)41及び第2の給電部(又は第2の給電点)42と、小型基板に配置された第1のスイッチ1及び第2のスイッチ2と、主回路基板又はメインボードに配置された第3のスイッチ3とを含む。本実施の形態による二重給電アンテナシステムは図2に示す実施の形態と同様である。同じ要素についての説明はここでは繰り返されず、図2を参照されたい。本実施の形態による二重給電アンテナシステムと上記の実施形態によるシステムとの間の相違は、例えば次の点にある：本実施の形態では、第1の接地点GND1が第1の給電部41のそばに設けられており、第2の接地点GND2が第2の給電部42のそばに設けられていることである。更に、本実施の形態の場合、第1のスイッチ1及び第2のスイッチ2は双極双投(Double  Pole  Double  Throw：DPDT)スイッチである。詳細については図3に示されている。
【００３７】
図3に示されているように、第1の接地点GND1はアンテナの第1の給電部41の位置の近くに配置されており；更に、第1のスイッチ1は第4の固定接続端部40と、第7の付随接続端部17と、第8の付随接続端部18とを有し、これらは、第1の固定接続端部10、第1の付随接続端部11及び第2の付随接続端部12と共に双極双投スイッチを形成している。GND1は第7の付随接続端部17に接続され、第4の固定接続端部40はメインボードの接地端部に接続され、第8の付随接続端部18は浮遊状態になっている。
【００３８】
同様に、第2の接地点GND2はアンテナの第2の給電部42の位置の近くに配置されており；更に、第2のスイッチ2は第5の固定接続端部50と、第9の付随接続端部29と、第10の付随接続端部210とを有し、これらは、第2の固定接続端部20、第3の付随接続端部23及び第4の付随接続端部24と共に双極双投スイッチを形成している。GND2は第9の付随接続端部29に接続され、第5の固定接続端部50はメインボードの接地端部に接続され、第10の付随接続端部210は浮遊状態になっている。
【００３９】
実施の形態により提供される二重給電アンテナシステムは、スイッチ制御により、一方の側の給電部のみが動作することを保証し、他方の側の給電部のパフォーマンスの方が高くなったことが検出されると、より高いパフォーマンスをもたらす給電部に切り替える。更に、この実施の形態の場合、アンテナケーブルが基本的には対称的であり、これは、2つの側の給電部のうちの一方が動作している場合のアンテナ共鳴位置が、他方の給電部が動作している場合のものと基本的には同じであることを保証する。更に、接地点が給電部の各々の近くに付加されているので、アンテナの帯域幅及びケーブル接続の柔軟性が増加する。
【００４０】
図4は本発明の第1の実施の形態による二重給電アンテナシステムの給電部切替方法のフローチャートを示す。この実施の形態に関し、二重給電アンテナシステムの給電部切替方法は図1に示す二重給電アンテナシステムに適用され、以下の説明は、図1に示す符号を参照しながら本方法の詳細なステップ(又は手順又は処理)を説明する。
【００４１】
S401：システムが第1の接続状態になるように、システムの第1のスイッチ及び第2のスイッチを同時にオンにしかつ第2のスイッチを分離する制御を制御命令により行う。
【００４２】
このステップにおいて、第1の接続状態は例えば第1の給電部41が動作している状態であってもよく：この場合、第3のスイッチ3の第3の固定接続端部30が第5の付随接続端部35に接続され、第1のスイッチ1の第1の固定接続端部10が第1の付随接続端部11に接続され、第2のスイッチ2の第2の固定接続端部20が第3の付随接続端部23から分離され、すなわち、第1の給電部41が動作している場合には第2の給電部42が分離されており、一方の側の給電部のみがシステムで動作していることを保証する。
【００４３】
S402：システムが第2の接続状態になるように、システムの第2のスイッチ及び第3のスイッチを同時にオンにしかつ第1のスイッチを分離する制御を制御命令により行う。
【００４４】
このステップにおいて、第2の接続状態は例えば第2の給電部42が動作している状態であってもよく：この場合、第3のスイッチ3の第3の固定接続端部30が第6の付随接続端部36に接続され、第2のスイッチ2の第2の固定接続端部20が第3の付随接続端部23に接続され、第1のスイッチ1の第1の固定接続端部10が第1の付随接続端部11から分離され、すなわち、第2の給電部42が動作している場合には第1の給電部41が分離されており、一方の側の給電部のみがシステムで動作していることを保証する。
【００４５】
S403：第1の接続状態に対応する信号強度と第2の接続状態に対応する信号強度とを検出し、より強い信号強度をもたらす接続状態におけるシステムのスイッチの接続関係を維持する。
【００４６】
第1の接続状態に対応する信号強度が第2の接続状態に対応する信号強度よりも大きかった場合、第1のスイッチ、第2のスイッチ及び第3のスイッチは、第1の給電部が動作する第1の接続状態に切り替える命令により制御され、そうでなかった場合、第1のスイッチ、第2のスイッチ及び第3のスイッチは、第2の給電部が動作する第2の接続状態に切り替える命令により制御される。
【００４７】
本発明による上記の実施の形態に関し、給電部が切り替えられるべきか否かは、給電部のそばにセンサを配置することにより判断されてもよいし、或いはソフトウェア制御により第1の給電部及び第2の給電部をそれぞれ接続し、端末が基地局に接続された時点で2つの給電部に関して受信したレベル値(RSSI)を比較し、より強い信号をもたらす方の給電部にスイッチにより切り替えることで決定されてもよい。しかしながら、本発明に関し、給電部を切り替えるか否かの判断は上記の例に限定されない。
【００４８】
本実施の形態により提供される二重給電アンテナシステムの給電部切替方法は、スイッチ切り替え制御により一方の側の給電部のみが動作することを保証しかつファントムヘッド・ハンド左右の相違の均衡を保つ。
【００４９】
図2を参照する。図2に示す本発明による二重給電アンテナシステムの給電部切替方法の一例において、第1の接続状態は例えば第1の給電部41が動作している状態であってもよく：この場合、第3のスイッチ3の第3の固定接続端部30が第5の付随接続端部35に接続され、第1のスイッチ1の第1の固定接続端部10が第1の付随接続端部11に接続され、第2のスイッチ2の第2の固定接続端部20が第4の付随接続端部24に接続され、すなわち、第1の給電部41が動作している場合には第2の給電部42が分離されており、一方の側の給電部のみがシステムで動作していることを保証する。
【００５０】
第2の接続状態は例えば第2の給電部42が動作している状態であってもよく：この場合、第3のスイッチ3の第3の固定接続端部30が第6の付随接続端部36に接続され、第2のスイッチ2の第2の固定接続端部20が第3の付随接続端部23に接続され、第1のスイッチ1の第1の固定接続端部10が第2の付随接続端部12に接続され、すなわち、第2の給電部42が動作している場合には第1の給電部41が分離されており、一方の側の給電部のみがシステムで動作していることを保証する。
【００５１】
本システムは、第1の給電部41が動作している場合の信号強度と、第2の給電部42が動作している場合の信号強度とを検出し、スイッチのターンオン及びターンオフを制御することで、信号強度が強い接続状態にシステムを維持する。
【００５２】
図3を参照する。図3に示す本発明による二重給電アンテナシステムの一例において、第1の接地点GND1が第1の給電部41のそばに設けられており、第2の接地点GND2が第2の給電部42のそばに設けられている。更に、第1のスイッチ1及び第2のスイッチ2は双極双投(Double  Pole  Double  Throw：DPDT)スイッチである。第1の接続状態は、更に、第1のスイッチ1の第7の付随接続部17が第4の固定接続端部40に接続され、第2のスイッチ2の第10の付随接続端部210が第5の固定接続端部50に接続されることを含み、すなわち第1の給電部41が動作している場合に第2の給電部42は分離され；第2の接続状態は、更に、第1のスイッチ1の第8の付随接続部18が第4の固定接続端部40に接続され、第2のスイッチ2の第9の付随接続端部29が第5の固定接続端部50に接続されることを含み、すなわち第1の給電部41が分離されている場合に第2の給電部42が動作している。
【００５３】
本実施の形態の場合、アンテナケーブルが基本的には対称的であり、これは、2つの側の給電部のうちの一方が動作している場合のアンテナ共鳴位置が、他方の給電部が動作している場合のものと基本的には同じであることを保証する。更に、接地点が給電部の各々の近くに付加されているので、アンテナの帯域幅及びケーブル接続の柔軟性が増加する。
【００５４】
本発明の実施の形態により提供される二重給電アンテナシステム及び給電部切替方法は、スイッチの制御により、一方の側の給電部のみが動作することを保証し、他方の側の給電部のパフォーマンスが高くなると、より高いパフォーマンスをもたらす方の給電部に切り替える。更に、実施の形態では、アンテナのケーブルが基本的には対称的であり、これは、
2つの側の給電部のうちの一方が動作している場合のアンテナ共鳴位置が、他方の給電部が動作している場合のものと基本的には同じであることを保証する。更に、接地点が給電部の各々の近くに付加され、アンテナの帯域幅及びケーブル接続の柔軟性を増やす。
【００５５】
本発明の何れの実施の形態で説明された方法ステップの全部又は一部も、関連するハードウェアを指図又は命令するプログラムにより実現されてもよいことを、当業者は理解すべきである。プログラムはコンピュータが読み取ることが可能な記憶媒体に保存されても良い。プログラムが走り出すと、プログラムは上記の任意の実施の形態で説明された方法ステップを実行する。記憶媒体はROM、RAM、磁気ディスク又は光ディスク等のようなプログラムコードを保存することが可能な如何なる媒体であってもよい。
【００５６】
そして、上記の実施の形態は、本発明を限定するものではなく、本発明による解決手段を説明することが意図されているに過ぎないことに留意すべきである。以上、本発明は上記の実施の形態を参照しながら詳細に説明されたが、上記の実施の形態に関して説明された解決手段に修正を加えてもよいこと、或いは何らかの技術的特徴と等価的な置換を行ってもよいこと、そのような修正や置換は、関連する解決手段を、本発明の実施の形態による解決手段の範囲から逸脱させるものではないことを、当業者は理解すべきである。
【符号の説明】
【００５７】
アンテナ4
41、42  第1の給電部
1-3  第1のスイッチ1
10、20、30  固定接続端部
11、23、35、36  付随接続端部
【図１】
2014045484.tif 000005
【図２】
2014045484.tif 000006
【図３】
2014045484.tif 000007
【図４】
2014045484.tif 000008
【外国語明細書】
2014045484000001.pdf